(57)【要約】【課題】従来の茄子環は、複雑な構造になっていて製造が困難でコストも高いという問題があり、本発明は、上記の問題点を考慮して、茄子環に入れられた金具の棒状部分を容易に脱出させることができるとともに、構造が簡単で、製造も容易でありコストも安い茄子環を提供することを目的とする。【解決手段】本発明の茄子環は、一枚のばね性を有する金属製の平板を曲げ加工して、紐通し金具結合部、この紐通し金具結合部の一端に連通するばね部、前記紐通し金具結合部の他端に連通する平板部及びこの平板部に連通するフック部とにより本体を構成し、前記平板部に外方に張り出す窪みを設け、前記ばね部を途中から前記窪みに向けて曲げ、その先端を前記窪みに臨ませ、前記フックの先端部を前記ばね部の曲げた山の頂上付近に接触又は近接させたことを特徴とする【選択図】図１
2015025549.tif 000002
【特許請求の範囲】
【請求項１】
紐通し金具結合部、この紐通し金具結合部に一端が連結されているばね部、前記紐通し金具結合部に一端が連結されている平板部及びこの平板部に一端が連結されているフック部とにより本体を構成し、前記本体内壁に窪みを設け、前記ばね部を途中から前記窪みに向けて曲げ、その先端を前記窪みに臨ませるとともに、前記ばね部の先端と前記本体内壁との間を前記フック部に入る紐や棒状体が通過できないように設定し、前記フックの先端部を前記ばね部の曲げた山の頂上付近に接触又は近接させたことを特徴とする茄子環。
【請求項２】
一枚のばね性を有する金属製の平板を曲げ加工して、紐通し金具結合部、この紐通し金具結合部の一端に連通するばね部、前記紐通し金具結合部の他端に連通する平板部及びこの平板部に連通するフック部とにより本体を構成し、前記ばね部を途中から曲げ、その先端を前記本体内壁に臨ませ、前記フックの先端部を前記ばね部の曲げた山の頂上付近に接触又は近接させたことを特徴とする茄子環。
【請求項３】
前記平板部に外方に張り出す窪みを設け、前記ばね部の先端を前記窪みに臨ませるとともに、前記ばね部の先端と前記本体内壁との間を前記フック部に入る紐や棒状体が通過できないように設定したことを特徴とする請求項２記載の茄子環。
【請求項４】
前記ばね部の先端部分を先細り部としたことを特徴とする請求項２記載の茄子環。
【請求項５】
前記フック部の先端部分を外方に出た湾曲部としてことを特徴とする請求項４記載の茄子環。
【請求項６】
前記窪みの外方張り出し部をなめらかな形状にしたことを特徴とする請求項３記載の茄子環。
【請求項７】
金属製の平板を打ち抜き加工して構成した四角形のリング状紐通し金具を前記紐通し金具結合部に結合したことを特徴とする請求項２記載の茄子環。
【請求項８】
前記本体を構成する平板をオーステナイト系ステンレスで構成したことを特徴とする請求項２記載の茄子環。
【請求項９】
前記平板の厚みを０．５ｍｍ乃至０．６ｍｍとしたことを特徴とする請求項６記載の茄子環。
【発明の詳細な説明】
【技術分野】
【０００１】  本発明は、鞄やカメラに用いられる吊り下げ金具として知られる茄子環に関するものである。
【背景技術】
【０００２】  現在用いられている茄子環はフック部にばね体の先端部が内側から当接して、常に開口部（フック部とばね体の先端当接部）は閉じられている。この茄子環に別の金具を取付けるには、前記ばね体に抗して金具の棒状部分を押しつけて、棒状部分を茄子環の中に挿入すれば良い。【０００３】  ところが、この棒状部分を茄子環から取り外す場合には、指で茄子環のばね体を押し、開口部を開いて取出さなければならず、作業性が極めて悪い。そこで、特許第３４４７０４７号公報（特許文献１）に示されるように、茄子環のばね体を指で開かなくても棒状部分を開口部方向に移動させるだけで、棒状部分を茄子環から取り外すことができるものが考えられた。
【先行技術文献】
【０００４】
【特許文献】
【特許文献１】  特許第３４４７０４７号公報
【発明の概要】
【発明が解決しようとする課題】
【０００５】  上記特許文献１に示されている茄子環は、「平板状の本体の一端には取付け環部を、中間部位には上方に突出する台部を、他端には先端が上方に向かうと共に一端側に向かって湾曲するフック部を設け、上記台部とフック部との間に、両基端部が台部に連結され、折り返し部をフック部の内面側に位置させ、この折り返し部側をフック部の外方に向けて付勢するバネ体を設け、上記バネ体は、その折り返し部より両基端部側に寄った部位である湾曲頂部より折り返し部側を下方に向けて湾曲させ、この湾曲頂部を前記フック部の先端部内面に圧接するようになし、折り返し部側先端を該フック部の内面より下方に向けて湾曲して離れるようになしたもの」である。【０００６】  この茄子環は、特に本体に上方に突出する台部が設けられ、この台部にバネ体が取付けられる構造になっていて、茄子環として複雑な構造になっている。また、茄子環に入れられた紐はバネ体の先端とを通りバネ体の根本の部屋に入る。茄子環のフック部が下方にある場合には問題はないが、フック部が横とか上にある場合には、上記の部屋に紐が入ってしまうと、紐を茄子環から取出す場合、紐を一度フック部に移動させてから、バネ体を押して出さなければならず、紐の取出し操作が面倒である。
本発明は、上記の点を考慮して、茄子環に入れられた紐や金具の棒状部分を容易に脱出させることができる茄子環を提供することを目的とする。
【課題を解決するための手段】
【０００７】  本発明の茄子環は、紐通し金具結合部、この紐通し金具結合部に一端が連結されているばね部、前記紐通し金具結合部に一端が連結されている平板部及びこの平板部に一端が連結されているフック部とにより本体を構成し、前記本体内壁に窪みを設け、前記ばね部を途中から前記窪みに向けて曲げ、その先端を前記窪みに臨ませるとともに、前記ばね部の先端と前記本体内壁との間を前記フック部に入る紐や棒状体が通過できないように設定し、前記フックの先端部を前記ばね部の曲げた山の頂上付近に接触又は近接させたことを特徴とする。【０００８】  また、一枚のばね性を有する金属製の平板を曲げ加工して、紐通し金具結合部、この紐通し金具結合部の一端に連通するばね部、前記紐通し金具結合部の他端に連通する平板部及びこの平板部に連通するフック部とにより本体を構成し、前記ばね部を途中から曲げ、その先端を前記本体内壁に臨ませ、前記フックの先端部を前記ばね部の曲げた山の頂上付近に接触又は近接させたことを特徴とする。
また、前記平板部に外方に張り出す窪みを設け、前記ばね部の先端を前記窪みに臨ませるとともに、前記ばね部の先端と前記本体内壁との間を前記フック部に入る紐や棒状体が通過できないように設定したことを特徴とする。【０００９】  また、前記ばね部の先端部分を先細り部としたことを特徴とする。
また、前記フック部の先端部分を外方に出た湾曲部としたことを特徴とする。
また、金属製の平板を打ち抜き加工して構成した四角形のリング状紐通し金具を前記紐通し金具結合部に結合したことを特徴とする。
また、前記窪みの外方張り出し部をなめらかな形状にしたことを特徴とする。
また、前記本体を構成する平板をオーステナイト系ステンレスで構成したことを特徴とする。
さらに、前記平板の厚みを０．５ｍｍ乃至０．６ｍｍとしたことを特徴とする。
【発明の効果】
【００１０】  以上のように、本発明の茄子環は、紐や棒状体を取出す場合に、ばね部を指で押す必要がなく、容易に棒状部分をフック部から取り外すことができる。そして、ばね部の先端と本体内壁との間をフック部に入る紐や棒状体が通過できないように設定してあるので、紐や棒状体が紐通し金具結合部の近くの部屋へ入ることがなく、紐や棒状体の取出し作業の妨げになることはない。また、本体を一枚の強度及びばね性のある金属板を湾曲させて構成してあるので、製造が容易であり、本体は平板一枚で加工されているのでコストは安くなる。また、紐通し金具として平板を打ち抜いた物を利用しているので、全体としての強度が大きいものが得られる。
また、ばね部の先端を先細りにしてあるので、太い棒状部分も容易に取出すことができる。さらに、ばね部の先端は先細りであるので、これを受ける窪みは小さなもので良く、窪みの外観はなめらかに構成されているので、物が当たっても物に傷を付けることはない。
【図面の簡単な説明】
【００１１】
【図１】  本発明の実施の形態に係る茄子環の斜視図である。
【図２】  同茄子環の断面図である。
【図３】  同茄子環の一部分を断面にして示す平面図である。
【図４】  同茄子環の製造途中の平板の平面図である。
【図５】  同茄子環の紐通し金具の平面図である。
【図６】  同茄子環の使用状態を示す断面図である。
【図７】  同茄子環の使用状態を示す断面図である。
【図８】  同他の実施例における茄子環の平面図である。
【発明を実施するための形態】
【実施例】
【００１２】  以下、本発明の実施の形態について図面とともに説明する。
図１は、本発明の実施例における茄子環の斜視図であり、本体１と紐通し金具２から構成されている。本体１は図４に示す平板３を曲げ加工して構成されている。この平板３は厚みが０．５乃至０．６ミリのオ−ステナイト系ステンレス（ＳＵＳ３０４等）が使用されている。鉄板等強度及びばね性のある素材であれば他のものでも良い。【００１３】  図４には中間部に窪み４が形成されている。この窪み４の外部形状は図２に示すように丸みを持たせ、物が当たった時、物に傷を付けないようにしてある。また、平板３の一端は外に向けて突出した湾曲部となっており、他端は先細り部分６となっている。そして図４の一点鎖線Ａ，Ｂ，Ｃ，Ｄ，の辺りで曲げ加工し、図１の形状に構成される。【００１４】  図１の７はフック部、８はばね部、９は紐通し金具結合部である。紐通し金具２は図５に示すように平板３と同じ材料の平板を四角のリング状に打ち抜いて構成されており、本体１を紐通し金具２に挿通し、紐通し金具結合部９に紐通し金具２を位置させ、紐通し金具結合部９の根本の間隔を小さくして、紐通し金具２が抜け出ないようにする。【００１５】  紐通し金具９はリング状をしており、従来のもののようにＣ字状ではないので、この部分の強度は強い。ばね部８は途中で窪み４方向に曲げられており、先細り部６の先端部は窪み４に臨んでいる。フック部７の先端部はばね部８の曲げられた山の頂上を越えて伸びている。フックの部７の先端部は前記山の頂上の手前でも良く近傍であればよい。このフック部７とばね部８の間は少し間隙がある。勿論、両者接触していてもよい。然しながら、どちらかというとフック部７の先端部はばね部８の曲げられた山の頂上を越えて伸びている方が、ばね部８とフック部先端に間隙ができるので金具の棒状部分を茄子環に入れやすい。先細り部６の先端は窪み４に入るようになっている。１２は紐通し金具結合部９とフック部６の間の平板部であり、ここに窪み４が設けられる。【００１６】  以上のように構成した茄子環の使用状態について説明する。
茄子環に取付ける金具の棒状部分をばね部８に外部から押し当て、ばね部８を押し下げれば棒状部分１０は図６に示すようにフック部７に収まる。棒状部分１０はばね部８の先端で邪魔され、ばね部８と平板部１２の間にある部屋に入ることはない。従って、ばね部８の先端と平板部１２との間隔は棒状部分１０の径より小さくしておくことが必要である。使用する棒状部分１０の直径を考慮してその間隙を設定する。【００１７】  棒状部分１０を茄子環から引き出す場合、棒状部分１０の外部に出ている部分を持って、ばね部８の先細り部６に沿って棒状部分１０をばね部８とフック部７の先端部で構成されている開口部１１の方に滑らせる。すると、ばね部８は棒状部分１０に押されてその先端は窪み４に入る。同時にフック部７の先端部付近も広げられ、棒状部分１０は外部に出る。【００１８】  ばね部８とフック部７とのばね力が強いと棒状部分１０を外部に出しにくい特に棒状部分１０の径が大きいほどばね部８とフック部７を押しのけるのに力が必要になる。そのような場合には、棒状部分１０をばね部８上でスライドさせて、開口部１１の方に棒状部分１０を移動させ、ここで、棒状部分１０を斜めにしてこじるようにすると、棒状部分１０は外部に容易に出る。この場合フック部７の先端部は湾曲部５となっているので、棒状部分１０はより出やすくなる。ばね部８は先細り部６となっているので、棒状体１０を茄子環内で斜めにすることが容易である。つまり、棒状部分１０の動きの自由度が大きい。なお、棒状部分１０は例えばカメラのサイドに設けられているコ字状金具のものである。【００１９】  このように、本発明の茄子環は、本体１を一枚の強度及びばね性のある金属板を湾曲させて製造でき、紐通し金具を平板を打ち抜いた物を利用しているので、全体の強度は大きく、耐荷重は７０ｋｇから１４０ｋｇのものが得られた。なお、従来のものの耐荷重は１０ｋｇから４５ｋｇ程度である。
また、本体は平板一枚で曲げ加工されているので、コストの安いものが得られる。また、ばね部８の先端を先細りにしてあるので、太い棒状部分１０も容易に取出すことができる。勿論、棒状部分１０を取出す場合に、ばね部８を指で押す必要がなく、容易に棒状部分１０をフック部７から取り外すことができる。さらに、ばね部８の先端は先細りであるので、これを受ける窪み４は小さなもので良く、窪み４の外観はなめらかに構成されているので、物が当たっても物に傷を付けることはない。【００２０】  図８は本発明の他の実施例における茄子環の平面図である。
この図において、１３はフック部、１４はばね部、１５は平板部、１６は平板部１５に設けられた窪み、１７は紐通し金具、１８は紐通し金具結合部である。ばね部１４は下端で紐通し金具結合部１８近くにその一端が固定されており途中で曲げられている。曲げられた辺りで、ばね部１４はフック部の先端と当接している。ばね部１４の曲げられた先端は上記窪み１６に臨んでいる。紐通し金具１７は紐通し金具結合具１８の周りを回転するよう構成されている。
紐通し金具１７を除いた部分を本体２０という。ばね部１４の先端と本体２０の内壁との間の長さは棒状部分の直径より小さく設定されている。  金具の棒状部分をばね部１４に当て押し込むと、ばね部１４の先端は窪み１６に入り、棒状部分はフック部に入る。棒状部分を出すときには、ばね部１４の曲げた部分を棒状部分で押してばね部１４を押すことにより、ばね部１４とフック部１３の先端間に間隙ができ、棒状部分を出すことができる。
このように、ばね部１４を指で押す必要はなく、容易に棒状部分をフック部１３から出すことができる。特に、ばね部１４の先端と本体２０の内壁との間の長さは棒状部分の直径より小さく設定されているので、フック部１３に入った棒状部分はばね部１４と茄子環の内壁とで囲まれた部屋１９に入ることはない。もし、この部屋に棒状部分が入ると、一度棒状部分をフック部１３に出してから、ばね部１４を押し、外部に出す作業をしなければならず、取出し作業に手間がかかることになる。
【産業上の利用可能性】
【００２１】  本発明の茄子環は、鞄やカメラの吊り下げ金具として使用して有効である。
【符号の説明】
【００２２】  １，２０：本体
２，１７：紐通し金具
３：平板
４，１６：窪み
５：湾曲部
６：先細り部
７，１３：フック部
８，１４：ばね部
９，１８：紐通し金具結合部
１０：棒状部分
１１：開口部
１２，１５：平板部
１９：部屋
【図１】
2015025549.tif 000003
【図２】
2015025549.tif 000004
【図３】
2015025549.tif 000005
【図４】
2015025549.tif 000006
【図５】
2015025549.tif 000007
【図６】
2015025549.tif 000008
【図７】
2015025549.tif 000009
【図８】
2015025549.tif 000010